(57)【特許請求の範囲】
【請求項１】
本体の裏面にリブが四角格子状に突設され、前記リブにより仕切られる凹部を複数備える防水床パンであって、
所定の前記凹部は、
コーナ部を構成する縦方向の第１リブと横方向の第２リブとの交差部に形成される、前記第１及び第２リブの厚みより大径のボス部と、
対角線上にある前記ボス部を繋ぐように突設され、該凹部を本体の裏面側から見て三角形状に分割する第３リブと
を備え、
前記ボス部に本体を支えるための脚部材が取り付けられるようにしてあり、
前記第３リブは、一部が、本体の裏面側に開口する筒状となるように突設されていることを特徴とする防水床パン。
【請求項２】
前記第３リブは、異なる２方向の対角線上にある前記ボス部をそれぞれ繋ぐように突設されて互いに交差するようにしてあることを特徴とする請求項１に記載の防水床パン。
【発明の詳細な説明】
【技術分野】
【０００１】
本発明は、本体の裏面にリブが四角格子状に突設され、リブにより仕切られる凹部を複数備える防水床パンに関し、特に、所定の凹部は、本体を支える脚部材を取り付けるためのボス部と、これらのボス部を支持するための補助リブとを更に備える防水床パンに関する。
【背景技術】
【０００２】
従来、防水床パンは、ユニット工法の浴室ユニットの床部材として、設置場所の架台に載せられ、本体の床面の周縁に壁パネルが取り付けられるとともに、本体の床面が浴槽の載置場所や洗い場として利用される。
【０００３】
防水床パンは、本体の床面に、壁パネル、浴槽及び入浴者による荷重がかかるため、本体の裏面に四角格子状に補強用リブが複数突設され、補強用リブに仕切られた、裏面視四角形状の開口を有する凹部が複数形成されている（例えば、特許文献１）。
【先行技術文献】
【特許文献】
【０００４】
【特許文献１】特開２００５−３６５６３号公報
【発明の概要】
【発明が解決しようとする課題】
【０００５】
しかしながら、先に提案された防水床パンは、施工時に生じる反り及び捻れなどの変形について考慮されていない。即ち、作業員は、防水床パンを施工現場の壁に立てかけて裏面に脚部材を取り付ける。このとき、防水床パンは、壁パネル、浴槽及び入浴者による厚み方向への荷重とは異なり、壁に立てかけられたときの自重によって、反り及び捻れなどの変形が生じるおそれがある。このような変形状態にあっては、脚部材が取り付け難く、また、脚部材が取り付けられたとしても変形状態が残ることとなる。
【０００６】
詳述すると、四角形は、辺の長さが決まっても角の大きさが決まらないため、形が保持され難い。そのため、補強用リブが四角格子状に突設されるのみでは、四角形の角の大きさが変わるような反り及び捻れなどの変形に対して弱く、図５に示すように、従来の防水床パン９は、裏面９０の凹部９１が、裏面視長方形から菱形に潰れるおそれがある。
【０００７】
このような問題を解消するには、工場管理の下、防水床パンが変形しないように脚部材を取り付けておき、これを施工現場に運ぶか、又は、補強用リブの厚み寸法を大きくするなどの工夫が必要となる。しかし、前者は、施工現場への運搬が困難であり、後者は、成形収縮によるヒケが生じて外観不良となるおそれがある。
【０００８】
本発明はかかる事情に鑑みてなされたものであり、本体の裏面にリブが四角格子状に突設され、このリブにより仕切られる複数の凹部のうち、所定の凹部に、脚部材を取り付けるためのボス部と、対角線上にあるボス部を繋ぐように突設させ、凹部を本体の裏面側から見て三角形状となるように分割するためのリブとを備えることにより、四角格子状に形成される補強用リブの厚み寸法を増やすことなく、四角形の角の大きさが変わるような反りや捻れなどの変形に対する強度が確保され、これらの変形を生じさせることなく現場での脚部材の取り付けができる防水床パンを提供することを目的とする。
【課題を解決するための手段】
【０００９】
本発明に係る防水床パンは、本体の裏面にリブが四角格子状に突設され、前記リブにより仕切られる凹部を複数備える防水床パンであって、所定の前記凹部は、コーナ部を構成する縦方向の第１リブと横方向の第２リブとの交差部に形成される、前記第１及び第２リブの厚みより大径のボス部と、対角線上にある前記ボス部を繋ぐように突設され、該凹部を本体の裏面側から見て三角形状に分割する第３リブとを備え、前記ボス部に本体を支えるための脚部材が取り付けられるようにしてあり、前記第３リブは、一部が、本体の裏面側に開口する筒状となるように突設されていることを特徴とする。
【００１０】
本発明に係る防水床パンにあっては、本体の裏面にリブが四角格子状に突設されることによって、表面が補強される。また、リブが交差することによって、裏面に凹部が複数形成される。また、複数の凹部のうち、いくつかの凹部は、コーナ部を形成する第１リブと第２リブとの交差部に、これらのリブの厚み寸法より大径のボス部が形成されることによって、ボス部を介して脚部材が取り付けられるようにしてある。
【００１１】
また、脚部材取付用の凹部は、第３リブが、対角線上にあるボス部を繋ぐように突設され、本体の裏面側から見て三角形状に分割することによって、四角形の角の大きさが変わるような反り及び捻れに対する強度を備える。詳述すると、三角形は、辺の長さが決まると角の大きさも決まることとなるため、形が保持され易く、反り及び捻れなどの変形に対する強度を有している。本発明に係る防水床パンは、この三角形の性質を利用することによって、余分な力を用いることなく形を安定させている。
更にまた、本発明に係る防水床パンにあっては、第３リブの一部が、裏面側に開口する筒状としてあることによって、脚部材取付用の凹部に取り付けられる脚部材の脚ボルトが進退する場合の調整代を確保している。
【００１２】
また、本発明に係る防水床パンは、前記第３リブは、異なる２方向の対角線上にある前記ボス部をそれぞれ繋ぐように突設されて互いに交差するようにされている構成であってもよい。
【００１３】
本発明に係る防水床パンにあって、脚部材取付用の凹部は、第３リブが、異なる２方向の対角線上にあるボス部をそれぞれ繋ぐように突設され、本体の裏面側から見て三角形状に４分割することによって、異なる方向から加わる、四角形の角の大きさが変わるような反り及び捻れに対する強度を有する。
【発明の効果】
【００１６】
本発明にあっては、防水床パンの本体の裏面から四角格子状に突設された補強用リブの厚み寸法を増やすことなく、四角形の角の大きさが変わるような反りや捻れなどの変形に対する強度を確保し、これらの変形を生じさせることなく現場での脚部材の取り付けが可能となる。
【図面の簡単な説明】
【００１７】
【図１】本発明に係る防水床パンを示す斜視図である。
【図２】防水床パンの裏面に形成される凹部を示す拡大平面図である。
【図３】防水床パンを支える脚部材の取付方法を示す分解斜視図である。
【図４】凹部の対角線に沿って突設される第３リブの一例を示す拡大平面図であって、（ａ）は１方向の対角線に沿って突設される第３リブの一例を示す図、（ｂ）は２方向の対角線に沿ってそれぞれ突設される第３リブの一例を示す図、（ｃ）は１方向の対角線に沿って突設され、一部が丸筒状となるように形成される第３リブの一例を示す図、（ｄ）は２方向の対角線に沿って突設され、これらが交差する箇所が丸筒状となるように形成される第３リブの一例を示す図、（ｅ）は１方向の対角線に沿って突設され、一部が角筒状となるように形成される第３リブの一例を示す図、（ｆ）は２方向の対角線に沿って突設され、これらが交差する箇所が角筒状となるように形成される第３リブの一例を示す図である。
【図５】従来の防水床パンの裏面に形成される凹部の一例を示す拡大平面図である。
【発明を実施するための形態】
【００１８】
本発明に係る防水床パンについて、実施の形態を示す図に基づいて以下説明する。防水床パンは、浴槽設置面を備えるものと、洗い場面を備えるものと、いずれの面を備えるものとがある。本実施の形態は、洗い場面を備える防水床パンを一例として説明する。
【００１９】
図１において、１は、防水床パンであり、防水床パン１は、本体の洗い場面１０と、洗い場面１０の周縁から立ち上がる起立片１１と、本体の裏面１２と、縦方向に沿って裏面１２から突き出る第１リブ１３と、横方向に沿って裏面１２から突き出る第２リブ１４と、第１リブ１３と第２リブ１４との交差部３０に形成されるボス部１５と、対角線上にあるボス部１５を繋ぐように裏面１２から突き出る第３リブ１６と、第３リブ１６の一部に形成される筒状部１７と、本体の一部に形成される排水口１８とを備える。
【００２０】
防水床パン１は、例えば、アクリロニトリル・ブタジエン・スチレン共重合合成樹脂（ＡＢＳ樹脂）や繊維強化プラスチック（ＦＲＰ）などで形成され、平面視略矩形の板状であって一面が洗い場面１０となり、他面が裏面１２となる本体を備える。
【００２１】
洗い場面１０は、周端縁部から起立片１１が立ち上がるとともに、何れか一辺の近傍に排水口１８が形成される。洗い場面１０は、起立片１１から排水口１８に向かって緩やかな傾斜面を備え、流れ落ちた湯水を捉えて排水口１８に案内する。
【００２２】
起立片１１は、排水口１８に近傍する一辺から立ち上がる起立片がエプロン取付用起立片１１０として利用され、その他の三辺から立ち上がる起立片が壁パネル取付用起立片１１１として利用される。
【００２３】
裏面１２は、四角格子状に第１リブ１３及び第２リブ１４が複数突き出ている。第１リブ１３は、両端が裏面１２の長手辺と交わる仮想線分と平行となるように裏面１２から複数突き出ている。第１リブ１３は、例えば、裏面１２から突出端までの突出寸法が７０ミリメートルであって、厚みの最大寸法が７ミリメートルとなるように形成される。本実施の形態において、縦方向は、上述する仮想線分の方向を指す。
【００２４】
第２リブ１４は、仮想線分と直交する方向に沿って、互いに平行となるように裏面１２から複数突き出ている。第２リブ１４は、例えば、裏面１２から突出端までの突出寸法が７０ミリメートルであって、厚みの最大寸法が６ミリメートルとなるように形成される。本実施の形態において、横方向は、上述する仮想線分と直交する方向を指す。
【００２５】
また、裏面１２は、第１リブ１３と第２リブ１４とによって仕切られる凹部２０が複数形成される。凹部２０は、裏面１２側に、裏面視四角形状の開口を有する升状となるように形成され、開口のコーナ部が第１リブ１３と第２リブ１４とが交差することによって形成される。
【００２６】
また、裏面１２に形成される凹部２０のうち、四隅辺りに形成される凹部２０については、特に、本体を支える脚部材４の取付箇所として利用される。脚部材取付用の凹部２０は、開口のコーナ部にボス部１５が形成される。即ち、ボス部１５は、脚部材取付用の凹部２０の開口のコーナ部を形成している、第１リブ１３と第２リブ１４との交差部３０が膨らみ、第１リブ１３及び第２リブ１４の厚みの最大寸法より大径の略円柱状となるように形成される。また、ボス部１５は、頂面の中央に脚部材４を取り付けるためのネジ穴１５０があけられる。
【００２７】
また、上述する脚部材取付用の凹部２０は、第３リブ１６が、底部となる裏面１２から突き出ている。第３リブ１６は、対角線上にあるボス部１５を繋ぐ仮想線分に沿って突き出し、脚部材取付用の凹部２０の内部を、その開口が裏面視三角形状となるように分割している。即ち、脚部材取付用の凹部２０は、第３リブ１６によって、裏面視四角形状の開口が分割されて裏面視三角形状の開口が複数形成されることとなる。
【００２８】
第３リブ１６は、図４の（ｄ）に示すように、異なる２方向の対角線上にあるボス部１５を繋ぐ２本の仮想線分に沿って、裏面視Ｘ字状に交差するように、裏面１２から突き出ている。２本の第３リブ１６は、交差する箇所が湾曲して裏面視円形状の開口を有する丸筒状の筒状部１７が形成される。筒状部１７は、直径寸法が４０ミリメートルとなるように形成される。
【００２９】
上述した第１リブ１３、第２リブ１４、ボス部１５及び第３リブ１６は、本体自体の材質と同じく、ＡＢＳ樹脂やＦＲＰなどで形成され、本体と一体的に形成される。
【００３０】
脚部材４は、設置場所の架台に載せられ、防水床パンの本体を支えるための部材である。図３に示すように、脚部材４は、本体の裏面１２の脚部材取付用の凹部２０に取り付けるための取付本体４０と、取付本体４０の一部にあけられたネジ孔４１と、脚ボルト４２と、脚ボルト４２を取り付けるためのナット４３と、取付本体４０を取り付けるためのネジ４４とを備える。
【００３１】
取付本体４０は、金属製の帯状板を、幅方向に沿って谷折り及び山折りとされることによって、長さ方向断面逆台形となるように形成される。また、取付本体４０は、長さ方向の両端が谷折りとされ、各端部にそれぞれネジ孔４１があけられている。
【００３２】
脚ボルト４２は、雄ネジ棒部４２０と、雄ネジ棒部４２０の先端に取り付けられた接地足４２１とを備える。雄ネジ棒部４２０は、外周面にネジ山が刻み込まれている。接地足４２は、略円盤状の金属片であり、雄ネジ棒部４２０の中心から径方向に広がるように雄ネジ棒部４２０の先端部に溶接されている。脚ボルト４２は、雄ネジ棒部４２０が、取付金具４２の頂面の中央にあけられた貫通孔（図示せず）に挿入され、挿入された雄ネジ棒部４２０が、取付本体４０の頂面に取り付けられたナット４３にねじ込まれる。脚ボルト４２は、ナット４３に対するねじ込み量に応じて、取付本体４０に対して進退する。
【００３３】
このように、防水床パン１は、複数の部材により構成される。以下、これらの部材を用いた防水床パン１の使用方法について説明する。図３に示すように、防水床パン１は、設置場所に運び込まれ、洗い場面１０を背にし、裏面１２が表となるように、設置場所の壁に立てかけられる。
【００３４】
防水床パン１は、裏面１２の脚部材取付用の凹部２０に、脚部材４が取り付けられる。脚部材４は、ネジ孔４１の中心が、脚部材取付用の凹部２０のネジ穴１５０の中心と一致するように取り付けられ、取付ネジ４４がネジ孔４１を介して、凹部２０のネジ穴１５０にねじ込まれることによって取付固定される。
【００３５】
防水床パン１は、脚部材４が取り付けられた状態で、上面が洗い場面１０となり、下面が裏面１２となるように壁から倒され、脚部材４の接地足４２１が設置場所の架台の上に設置される。防水床パン１は、脚ボルト４２のねじ込み量を調整することによって、架台からの高さを調整し、本体が地面に対して水平となるように調整される。
【００３６】
防水床パン１は、壁パネル取付用起立片１１１に壁パネル（図示せず）が取り付けられ、三方が壁パネルにより囲まれる状態となる。防水床パン１は、自らの設置場所と平行する位置に、浴槽が設置される。防水床パン１は、エプロン取付用起立片１１０にエプロン（図示せず）が取り付けられ、浴槽との間を仕切るように取り付けられる。
【００３７】
防水床パン１は、上述のように使用されることにより、以下の作用効果を奏する。防水床パン１は、ボス部１５及び第３リブ１６を有する凹部２０が、脚部材４を取り付けるための部分となる。防水床パン１は、凹部２０の対角線上にあるボス部１５を繋ぐように裏面１２から第３リブ１６が突き出ることによって、凹部２０の開口が裏面視三角形状となるように分割される。三角形は、形が保持され易く、四角形の角の大きさが変わるような反りや捻れなどの変形に対する強度を有するため、第３リブ１６を有する凹部２０は、その他の凹部２０に比べて、反りや捻れなどの変形に対する強度を有する。そこで、防水床パン１にあっては、第３リブ１６を有する凹部２０が、脚部材４を取り付けるための部分となる。
【００３８】
なお、防水床パン１にあって、第３リブ１６を有する凹部２０を限定しているのは、全ての凹部２０に第３リブ１６を設ける場合に比べて、本体重量が軽くなり、施工が容易となるとともに、製造コストが高騰することを抑えるためである。
【００３９】
また、防水床パン１にあって、凹部２０の開口が裏面視三角形状となるように第３リブ１６を設けているのは、裏面視六角形や八角形となる場合に比べて、形状がより安定しやすいためである。
【００４０】
また、防水床パン１は、脚ボルト４２が取付本体４０に対して過度に進入する場合、第３リブ１６の一部に形成される筒状部１７が調整代となって、脚ボルト４２の基端が第３リブ１６に接触しないようにされている。
【００４１】
なお、上述した実施の形態において、防水床パン１は、第３リブ１６が裏面視Ｘ字状に交差するように裏面１２から突き出し、これらの交差箇所に筒状部１７が形成される一例を説明した。しかし、本発明は、これに限定するものでなく、その他の態様であってもよい。以下、実施例に分けて説明する。
【００４２】
（実施例１）
第３リブ１６は、図４の（ａ）に示すように、１方向の対角線上にあるボス部１５を繋ぐ１本の仮想線分に沿って裏面１２から突き出ている。１本の第３リブ１６は、脚部材取付用の凹部２０の開口を２つに分割して裏面視三角形状の開口となるように形成する。
【００４３】
実施例１にあっては、１本の第３リブ１６によって、第３リブ１６の追加による本体重量及び材料費の高騰を最低限に抑えつつ、反りや捻れなどの変形に対する強度を最低限度確保している。
【００４４】
（実施例２）
第３リブ１６は、図４の（ｂ）に示すように、異なる２方向の対角線上にあるボス部１５を繋ぐ２本の仮想線分に沿って、裏面視Ｘ字状に交差するように、裏面１２から突き出ている。２本の第３リブ１６は、脚部材取付用の凹部２０の開口を４つに分割して裏面視三角形状の開口を複数形成する。
【００４５】
実施例２にあっては、裏面視Ｘ字状に交差する２本の第３リブ１６によって、異なる方向から加わる力による反りや捻れなどの変形に対する強度を確保している。
【００４６】
（実施例３）
第３リブ１６は、図４の（ｃ）に示すように、１方向の対角線上にあるボス部１５を繋ぐように１本の仮想線分に沿って裏面１２から突き出ている。１本の第３リブ１６は、脚部材取付用の凹部２０の開口を２つに分割して裏面視三角形状の開口を複数形成する。また、第３リブ１６は、中央付近が湾曲して裏面視円形状の開口を有する丸筒状の筒状部１７が形成される。
【００４７】
実施例３にあっては、１本の第３リブ１６によって、第３リブ１６の追加による本体重量及び材料費の高騰を最低限に抑えつつ、反りや捻れなどの変形に対する強度を最低限度確保している。併せて、裏面側が開口する筒状部１７によって、脚ボルト４２の調整代を確保している。
【００４８】
（実施例４）
第３リブ１６は、図４の（ｅ）に示すように、１方向の対角線上にあるボス部１５を繋ぐように１本の仮想線分に沿って裏面１２から突き出ている。１本の第３リブ１６は、脚部材取付用の凹部２０の開口を２つに分割して裏面視三角形状の開口を複数形成する。また、第３リブ１６は、中央付近に裏面視四角形状の開口を有する角筒状の筒状部１７が形成される。
【００４９】
実施例４にあっては、１本の第３リブ１６によって、第３リブ１６の追加による本体重量及び材料費の高騰を最低限に抑えつつ、反りや捻れなどの変形に対する強度を確保している。併せて、裏面側が開口する筒状部１７によって、脚ボルト４２の調整代を確保している。
【００５０】
（実施例５）
第３リブ１６は、図４の（ｆ）に示すように、異なる２方向の対角線上にあるボス部１５を繋ぐ２本の仮想線分に沿って、裏面視Ｘ字状に交差するように、裏面１２から突き出ている。２本の第３リブ１６は、脚部材取付用の凹部２０の開口を４つに分割して裏面視三角形状の開口を複数形成する。また、第３リブ１６は、交差付近に裏面視四角形状の開口を有する角筒状の筒状部１７が形成される。
【００５１】
実施例５にあっては、裏面視Ｘ字状に交差する２本の第３リブ１６によって、異なる方向から加わる力による反りや捻れなどの変形に対する強度を確保している。併せて、裏面側が開口する筒状部１７によって、脚ボルト４２の調整代を確保している。
【符号の説明】
【００５２】
１  防水床パン
１０  洗い場面
１１  起立片
１１０  エプロン取付用起立片
１１１  壁パネル取付用起立片
１２  裏面
１３  第１リブ
１４  第２リブ
１５  ボス部
１５０  ネジ穴
１６  第３リブ
１７  筒状部
１８  排水口
２０  凹部
３０  交差部
４  脚部材
４０  取付本体
４１  ネジ孔
４２  脚ボルト
４２０  雄ネジ棒部
４２１  接地足
４３  ナット
４４  取付ネジ
【図１】
0005645475.tif 000002
【図２】
0005645475.tif 000003
【図３】
0005645475.tif 000004
【図４】
0005645475.tif 000005
【図５】
0005645475.tif 000006